Podtech/llm-jp-corpus-v4-ja_patent huggingface dataset:
(57)【要約】      （修正有）【課題】お湯を注ぐと、ユーザがコップ内の飲料を即時に飲むことができ、且つ茶葉等の屑がユーザの口に入らないこと。【解決手段】コップの内部の空間の底面から所定距離に離間した箇所では多数の貫通孔２２が開設された仕切板２が水平に設けてあり、前記仕切板により、コップの内部の空間は、上方の収容空間と、湯注ぎバッグを収容する下方にある挟み空間とに仕切られ、前記コップは紙製品であり、前記仕切板の周縁には上へ延びた固定縁２１が設けてあり、高周波技術により、前記固定縁がコップの裏壁面に固定され、且つ前記湯注ぎバッグ内には、お湯を注いで食べられる食べ物を収容した。【選択図】図１
0003119530.tif 000002
【実用新案登録請求の範囲】
【請求項１】
コップの内部の空間の底面から所定距離に離間した箇所では多数の貫通孔が開設された仕切板が水平に設けてあり、
前記仕切板により、コップの内部の空間は、上方の収容空間と、湯注ぎバッグを収容する下方にある挟み空間とに仕切られることを特徴とする、
ソレッキリ式コップの構造。
【請求項２】
前記コップは紙製品であることを特徴とする、請求項１に記載のソレッキリ式コップの構造。
【請求項３】
前記仕切板の周縁には上へ延びた固定縁が設けてあり、高周波技術により、前記固定縁がコップの裏壁面に固定されることを特徴とする、請求項１に記載のソレッキリ式コップの構造。
【請求項４】
前記湯注ぎバッグ内には、お湯を注いで食べられる食べ物が収容されたことを特徴とする、請求項１に記載のソレッキリ式コップの構造。
【考案の詳細な説明】
【技術分野】
【０００１】
本考案は、ソレッキリ式（使い捨て式）コップの構造に係り、特に、コップ内には湯注ぎバッグを収容した挟み空間が設けてあり、コップにお湯を注ぐと、ユーザはコップ内の飲料を即時に飲むことができるソレッキリ式コップの構造に関するものである。
【背景技術】
【０００２】
ソレッキリ式コップは、使用した後にコップを洗浄することが必要なく、又は一人きりコップを使用することができるので、ユーザに愛用されているが、従来のソレッキリ式コップは飲み物を収容するための容器として使用するだけであり、お茶を入れる、又は他の食べ物を入れる場合には、ユーザが茶葉などをソレッキリ式コップに投入してお湯を注ぐことが必要であるが、そうすると、茶葉などの屑は水と混ざるので、前記コップ内の内容物を飲むときに、茶葉などの屑がユーザの口に入ることはよくあった。
【考案の開示】
【考案が解決しようとする課題】
【０００３】
本考案の主な目的は、コップ内には湯注ぎバッグを収容した挟み空間が設けてあり、コップにお湯を注ぐと、ユーザはコップ内の飲料を即時に飲むことができ、且つ茶葉などの屑がユーザの口に入らないソレッキリ式コップの構造を提供する。
【課題を解決するための手段】
【０００４】
前記目的を達成するためになされた本願の考案は、コップの内部の空間の底面から所定距離に離間した箇所では多数の貫通孔が開設された仕切板が水平に設けてあり、前記仕切板により、コップの内部の空間は、上方の収容空間と、湯注ぎバッグを収容する下方にある挟み空間とに仕切られることを特徴とするソレッキリ式コップの構造であることを要旨としている。
【０００５】
本願の考案では、前記コップは紙製品であることを特徴とする請求項１に記載のソレッキリ式コップの構造。
【０００６】
本願の考案では、前記仕切板の周縁には上へ延びた固定縁が設けてあり、高周波技術により、前記固定縁がコップの裏壁面に固定されることを特徴とする請求項１に記載のソレッキリ式コップの構造であることを要旨としている。
【０００７】
本願の考案では、前記湯注ぎバッグ内には、お湯を注いで食べられる食べ物が収容されたことを特徴とする請求項１に記載のソレッキリ式コップの構造であることを要旨としている。
【考案の効果】
【０００８】
本考案に係るソレッキリ式コップの構造によれば、コップ内には湯注ぎバッグを収容した挟み空間が設けてあり、コップにお湯を注ぐと、ユーザはコップ内の飲料を即時に飲むことができ、且つ茶葉などの屑がユーザの口に入らない。
【考案を実施するための最良の形態】
【０００９】
以下、添付図面を参照して本考案の好適な実施の形態を詳細に説明する。
【００１０】
まず、図１と図２を参照する。本考案に係るソレッキリ式コップの構造は、コップ１の内部の空間の底面から所定距離に離間した箇所では多数の貫通孔２２が開設された仕切板２が水平に設けてあり、前記仕切板２により、コップの内部の空間は、上方の収容空間１１と、湯注ぎバッグを収容する下方にある挟み空間１２とに仕切られ、また、前記仕切板２の周縁には上へ延びた固定縁２１が設けてあり、高周波技術などの方法により、前記固定縁２１がコップ１の裏壁面に固定され、また、前記仕切板２に開設された貫通孔２２により、コップ１の収容空間１１と挟み空間１２とは連通状態になり、また、前記仕切板２とコップ１の底面とから囲まれた挟み空間１２内には湯注ぎバッグ３が設置してあり、前記湯注ぎバッグ３内には茶葉などが収容してある。
【００１１】
これにより、図３に示すように、お湯をコップ１に注ぐと、前記湯注ぎバッグ内に収容した内容物の味および香りがお湯と混ざり、且つ前記仕切板２により前記湯注ぎバッグ３内に収容した内容物の屑はお湯と混ざらないので、ユーザはコップ内の飲料を飲む際に、茶葉などの内容物の屑がユーザの口に入らない。
【図面の簡単な説明】
【００１２】
【図１】本考案の分解斜視図である。
【図２】本考案の組合状態を示す断面図である。
【図３】本考案の実施状態を示す概略図である。
【符号の説明】
【００１３】
１        コップ                  １１      収容空間
１２      挟み空間                ２        仕切板
２１      固定縁                  ２２      貫通孔
３        湯注ぎバッグ
【図１】
0003119530.tif 000003
【図２】
0003119530.tif 000004
【図３】
0003119530.tif 000005
(57)【要約】 【課題】              本考案の目的は、内袋に緩衝面を有する2重袋において、保管時は折り畳んで嵩張らず、使用時はワンタッチで底部及び主体部並びに側片部を立ち上げる利便性と、緩衝性を併せ持つ緩衝面付角底袋を提供することである。【解決の手段】            緩衝面を有する１枚の台紙の中央部に上下の切欠部を設け、この切欠部の底辺及び側辺の延長線上に罫線を付して、底部及び左右主体部並びにその上下側片を形成して内袋素形体を構成し、更に、底部と右主体部との罫線を中心に緩衝面が互いに内向くよう左右主体部を重ね合わせると共に、右主体部の上下側片の角部をその折り曲げ傾斜稜線が切欠部方向に向くように折り曲げて内袋とし、この内袋を外袋に挿入すると共に、内袋の底部を押圧し直立させる事によって、上下両側片を立ち上げるようにする。【選択図】            図５
0003119509.tif 000002
【実用新案登録請求の範囲】
【請求項１】
少なくとも一方面に凹凸部により形成された緩衝面を有する1枚の台紙の中央部に上下の切欠部を設け、この切欠部の底辺及び側辺の延長線上に罫線を付して底部及び左右主体部並びにその上下側片を形成して内袋素形体を構成し、更に底部と右主体部との罫線を中心に緩衝面が互いに内向くよう左右主体部を重ね合わせると共に、右主体部の上下側片の角部をその折り曲げ傾斜稜線が切欠部方向に向くよう折り曲げて内袋とし、この内袋を外袋に挿入すると共に、内袋の底部を押圧し、直立させる事によって上下両側片を立ち上げるようにした事を特徴とする緩衝面付角底袋。
【考案の詳細な説明】
【技術分野】
【０００１】
本考案は、内袋に緩衝面を有する2重袋において、保管時は折り畳んでも嵩張らず、使用時はワンタッチで底部及び主体部並びに側片部を立ち上げる利便性と、緩衝性を併せ持つ緩衝面付角底袋に関する。
【背景技術】
【０００２】
角底緩衝袋には、様々な構造のものが考案され実用化されている。例えば緩衝材を張り合わせたまま折り畳んだ物は嵩高く保管場所をとる。また緩衝材にプラスチック気泡シートを使用したものは、廃棄時に分別する事が要求される。しかも、実際の分別作業を行うのは末端ユーザーであって、それに対する製造者と販売者の責任を如何に問うかが大きな社会問題になっている。
【考案の開示】
【考案が解決しようとする課題】
【０００３】
本考案の目的は、内袋に緩衝面を有する2重袋において、保管時は折り畳んで
嵩張らず、使用時はワンタッチで底部及び主体部並びに側片部を立ち上げる利
便性と緩衝性を併せ持つ緩衝面付角底袋を提供することである。
【課題を解決するための手段】
【０００４】
少なくとも一方面に凹凸部２aにより形成された緩衝面２を有する1枚の台紙の中央
部に上下の切欠部３と４を設け、この切欠部の底辺及び側辺の延長線上に罫線
"Xa,Xb,Ya,Yb,Za,Zbを付して底部５及び左右主体部６、７並びにその上下側片８、９"
１０、１１を形成して内袋素形体Vを構成し、更に底部５と右主体部６との罫線Zbを中
心に緩衝面２が互いに内向くよう左右主体部６、７を重ね合せると共に右主体部６
の上下側片１０、１１の角部をその折り曲げ傾斜稜線１２、１３が切欠部方向に向く
ように折り曲げて内袋１ｂとし、この内袋１ｂを外袋１ａに挿入すると共に、内袋の底
部５を押圧し、直立させる事によって上下両側片を立ち上げるようにする。
【考案の効果】
【０００５】
本考案により次のような効果が生まれる。
（１）請求項１により、内袋に罫線を付したので、保管時は折り畳んで嵩ばらず、使
時に内袋の底部を押圧するだけでワンタッチで上下両側片を立ち上げる事ができ
て、嵩の高い品物の包装、梱包、収納ができる。
【考案を実施するための最良の形態】
【０００６】
以下本考案を実施例の図面に基いて説明すると、図１は外袋１ａに内袋１ｂを挿入
して組み合わせた状態を示す斜視図であって、この内袋１ｂの形造りは、図３に示
すものである。具体的には、少なくとも一方面に凹凸部２ａにより形成された緩衝
面２を有する1枚の台紙をもって内袋素形体Vを形成する。而して、この内袋素形体Vは中央部に上下の切欠部３、４を設け、この切欠部３、４の底辺３a、４a及び側辺３b、４bの延長線上に罫線Xa、Xb、Ya、Yb、Za、Zbを付して底部５及び左右主体部６、７並びにその上下側片８、９、１０、１１を形成して構成している。更に図４に示すように内袋素形体Vの底部５と右主体部６との罫線Zbを中心に緩衝面２が互いに内向くよう左右主体部６、７を重ね合わせると共に、右主体部６の上下側片１０、１１の角部をその折り曲げ傾斜稜線１２、１３が切欠部３、４方向に向くよう折り曲げる事で内袋１ｂが形成される。図６は内袋１ｂを図２の外袋１ａに挿入後、図５のように内袋１ｂの底部５を押圧中の外袋１ａと内袋１ｂの状態を示しており、底部５を押圧しきったところで、図１のように、上下両側片が完全に立ち上がり、収納空間Hが生まれる。
【図面の簡単な説明】
【０００７】
【図１】緩衝面付角底袋の斜視図。
【図２】外袋の平面図。
【図３】内袋を構成する内袋素形体の展開図。
【図４】内袋の平面図。
【図５】内袋の底部押圧中の斜視図。
【図６】緩衝面付角底袋の立ち上げ寸前の斜視図。
【符号の説明】
【０００８】
1ａ            外袋      V              内袋素形体
1ｂ            内袋      Xａ            罫線
2ａ            凹凸部     Xb            罫線
2ｂ            緩衝面     Ya            罫線
3            上切欠部     Yb            罫線
4            下切欠部     Za            罫線
5            底部        Zb            罫線
6            右主体部     Ｈ          収納空間
7            左主体部                   
8            上側片       
9            下側片       
10            上側片                   
11            下側片                   
12            折り曲げ傾斜稜線                      
13            折り曲げ傾斜稜線                      
【図１】
0003119509.tif 000003
【図２】
0003119509.tif 000004
【図３】
0003119509.tif 000005
【図４】
0003119509.tif 000006
【図５】
0003119509.tif 000007
【図６】
0003119509.tif 000008
(57)【要約】【課題】ホタルイカの動きに疑似し、キャスティング飛距離のでるイカ型ルアーの提供を目的とする。【解決手段】イカ型ルアーであってボディの頭部よりに内臓したウエイトを有し、このウエイトより尾側に位置して且つボディに内臓しボディ材質より軽い浮力発生部材を有し、ボディの尾側に釣り糸連結部を有していることを特徴とする。  ここで、ボディ形状はホタルイカに疑似しており、ボディ材質は樹脂であり、浮力発生部材はバルサであるのが望ましい。  また、尾側にイカの尾ヒレ状のリップを形成するとキャスティング時に飛距離がでる。【選択図】  図１
0003119592.tif 000002
【実用新案登録請求の範囲】
【請求項１】
イカ型ルアーであって、ボディの頭部よりに内臓したウエイトを有し、このウエイトより尾側に位置して且つボディに内臓したボディ材質より軽い浮力発生部材を有し、ボディの尾側に釣り糸連結部を有していることを特徴とするルアー。
【請求項２】
ボディ形状はホタルイカに疑似しており、ボディ材質は樹脂であり、浮力発生部材はバルサであることを特徴とする請求項１記載のルアー。
【請求項３】
ボディの尾側にイカの尾ヒレ状のリップを形成してあることを特徴とする請求項１又は２記載のルアー。
【考案の詳細な説明】
【技術分野】
【０００１】
本考案は魚釣り用のルアーに関する。
特に、ホタルイカ型のルアーであり、動きがホタルイカに疑似し、キャスティング飛距離のでるルアーに係る。
【背景技術】
【０００２】
フィッシングにおいて疑似餌として使用するルアーは、小魚、エビ、昆虫等フィッシングの対象魚によって各種タイプが存在する。
この場合にルアーのボディ内部にウエイトを内臓する技術は公知である（特許文献１〜３）。
しかし、これらは小魚の泳ぎに疑似させようとしたものであり、その動きも小さいものであった。
【０００３】
【特許文献１】実用新案登録第３０９２０３８号
【特許文献２】実用新案登録第３０８２３９５号
【特許文献３】実用新案登録第３１０９４６３号
【考案の開示】
【考案が解決しようとする課題】
【０００４】
この考案はホタルイカの動きに疑似し、キャスティング飛距離のでるイカ型ルアーの提供を目的とする。
【課題を解決するための手段】
【０００５】
本考案に係るルアーは、イカ型ルアーであって、ボディの頭部よりに内臓したウエイトを有し、このウエイトより尾側に位置して且つボディに内臓したボディ材質より軽い浮力発生部材を有し、ボディの尾側に釣り糸連結部を有していることを特徴とする。
ここで、ボディ形状はホタルイカに疑似しており、ボディ材質は樹脂であり、浮力発生部材はバルサであることが望ましい。
また、ボディの尾側にイカの尾ヒレ状のリップを形成してあるのがよい。
【考案の効果】
【０００６】
イカ型のルアーボディの頭部よりにウエイトを内臓し、尾側にバルサ等の水より軽い浮力発生部材を内臓したことにより、ウエイトによりイカ型ルアーボディの頭部が下になりそれより上になるバルサ等の浮力発生部材にてルアーが上下方向に動きホタルイカが泳ぐようにフォールする。
また、ルアーの着底後は浮力発生部材によりユラユラと魚を誘うように動く。
尾側にイカの尾ヒレに似たリップを形成したことにより、キャスティング時には飛距離がでる。
よって、本考案に係るルアーは、黒鯛、キジハタ、カサゴ等の根魚に適している。
【考案を実施するための最良の形態】
【０００７】
図１に本考案に係るイカ型ルアー１の外観斜視図を示し、図２にその断面図を示す。
ルアーのボディ１０はホタルイカに疑似していて目のある方を頭部１１とし、尾１２側に釣り糸２０を接続する連結環１６を有している。
ボディの尾１２には平面視略三角形状のヒレ状のリップ１５ａ、１５ｂをボディに対して略水平方向に形成してある。
ボディ１０の頭部よりには金属等のウエイト１４を内臓してあり、ウエイト１４より尾側のボディ中央部から尾にかけてバルサからなる軽い浮力発生部材１３を内臓してある。
頭部の先には針連結環１７ａを設けて、これに２本針１８ａを接続してあり、ボディの中央部には針連結環１７ｂを設けて３本針１８ｂを接続してある。
ここでウエイト１４は鉛等比較的比重の大きい、加工のしやすい金属が望ましく、浮力発生部材もバルサに限定する必要はないが加工しやすく、軽く、樹脂に鋳込みやすい点ではバルサが好ましい。
【０００８】
ルアーの製造方法は特に限定されないが図２に例を示す。
金属製ワイヤー１９の一方に釣り糸連結環１６を形成し、他方に針連結環１７ａを形成し、金属製ワイヤー１９の中央部付近より略直角方向に枝分かれした分岐ワイヤー１９ａを連結して針連結環１７ｂを設ける。
金属製ワイヤー１９のルアー頭部となる位置にウエイト１４を連結する。
楕円球形をしたバルサの長径方向に溝等を形成し、この溝に上記芯材を嵌め込み、ラクビーボールのような形状の浮力発生部材１３にする。
次にバルサを取り付けた芯材の周囲を樹脂で鋳込みボディ１０を成形した。
また、バルサの表面をホタルイカのボディ色に合わせて赤味が生じるように着色してあるとボディの樹脂を透光性の有する材料にすることで深みのある外観に仕上がり、ホタルイカに疑似してくる。
ボディの表面には必要に応じて目等を描いてある。
【０００９】
ボディの尾１２側にボディに対して略水平方向の三角形状リップ１５ａ、１５ｂを形成したので図３に模式図を示すようにキャスティング時にはリップ１５ａ，１５ｂが翼の作用をして遠くまで飛ぶ。
また着水時には、図４に示すようにバルサで製作した軽い浮力発生部材の浮き作用により上下方向にリフトアンドダウンしながらゆっくり沈む。
この動きはホタルイカの泳ぎに似ている。
また着底後には、バルサの作用にてユラユラゆれる。
これにより、ホタルイカを食餌とする対象魚の食い付きがよい。
【図面の簡単な説明】
【００１０】
【図１】本考案に係るイカ型ルアーの外観斜視図を示す。
【図２】イカ型ルアーの断面図を示す。
【図３】ルアーを投げ込む模式図を示す。
【図４】海中のルアーの動きを模式的に示す。
【符号の説明】
【００１１】
１    ルアー
１０  ボディ
１１  頭部
１２  尾
１３  浮力発生部材
１４  ウエイト
１５ａ，１５ｂ  リップ
【図１】
0003119592.tif 000003
【図２】
0003119592.tif 000004
【図３】
0003119592.tif 000005
【図４】
0003119592.tif 000006
(57)【要約】【課題】  一つの灯具で多様な照明効果を得る。【解決手段】光源を配した基台１と、下方を基台に外挿することにより光源４を囲むように基台上に立設される筒状のシェード５からなり、上記のシェードは緯糸を取り除いて経糸部分を残した自由変形部７を上方に有する織布の左右端を係着具６Ａ、６Ｂにより係着して筒体とする。【選択図】      図１
0003119566.tif 000002
【実用新案登録請求の範囲】
【請求項１】
光源を配した基台と、下方を基台に外挿することにより光源を囲むように基台上に立設される筒状のシェードからなり、上記のシェードは緯糸を取り除いて経糸部分を残した自由変形部を上方に有する織布の左右端を係着具により係着して筒体としたことを特徴とする灯具。
【請求項２】
光源として電気照明を採用した請求項１記載の灯具。
【請求項３】
光源として灯火を採用した請求項１記載の灯具。
【考案の詳細な説明】
【技術分野】
【０００１】
この考案は、光源をシェード内に配した灯具に関する。
【背景技術】
【０００２】
電球等の電気照明や蝋燭等の灯火を光源とし、これを基台に配すると共に透光性及び光拡散性を有するシェードで囲むことにより、光源からの直接光を和らげると共に拡散させて照明を行なう灯具が電気スタンドや行灯等により公知である。
【０００３】
この種の灯具としては光源を筒状のシェード内に配したものや（例えば、特許文献１）、提灯型の容器状のシェード内に配したもの（例えば、特許文献２）が一般的である。
【特許文献１】登録実用新案第３０９７３１４号公報
【特許文献２】特開平８−５０８０３号公報
【考案の開示】
【考案が解決しようとする課題】
【０００４】
ところで、灯具は季節や場面においてシェードの意匠や材質を変更したいことがある。従来技術の灯具においてもシェードは基台に対し脱着自在に設けられるので、シェードのみを交換することは可能であった。しかしながら、現実の場面においてはシェードは筒状や容器状の立体形状からなる大変嵩ばるものであり、不使用時の収容場所を考えた場合、一つの灯具に対して複数のシェードを用意することはあまり現実的ではなかった。
【０００５】
又、シェードの意匠を変更するといっても、既成のものから選択するに過ぎないので選択肢は限られており、必ずしも使用者の意向通りに変更できるとは限らなかった。  
【０００６】
更に、使用中にシェードに埃や汚れが付着した場合、上記のようにシェードは立体形状からなるので、これらを拭き取ったり、洗濯することは困難であった。
【課題を解決するための手段】
【０００７】
この考案は以上の従来技術の問題点を解消した灯具を提供することを目的として創作されたものであり、光源を配した基台と、下方を基台に外挿することにより光源を囲むように基台上に立設される筒状のシェードからなり、上記のシェードは緯糸を取り除いて経糸部分を残した自由変形部を上方に有する織布の左右端を係着具により係着して筒体としたことを特徴とする。
【考案の効果】
【０００８】
この考案によれば、基台から分離したシェードは係着を解けば平面状のシートに展開でき、収容容積が最小となる。よって、一つの灯具に対して複数のシェードを用意しても収納場所に困ることがなく、シェードを交換することにより季節や場面に応じて手軽に意匠を変更できる灯具が実現される。
【０００９】
同様にシェードはその梱包容積が最小となるので流通が容易となり、灯具の保管コストや流通コストを軽減することができる。
【００１０】
又、シェードに埃や汚れが付着しても、それを展開してシート状とすることにより拭き取りが容易となり、素材によってはそのまま洗濯も可能となる。
【００１１】
一方、この考案の灯具のシェードは緯糸を取り除いて経糸部分を残した自由変形部を上方に有する織布により構成されるので、購入者においてシェードの上方の自由変形部を変形することができ、変形により光の拡散方向や透け具合を変更することにより、一つの灯具により多様な照明効果を得ることができる。
【考案を実施するための最良の形態】
【００１２】
以下、この考案の具体的実施例を添付図面に基づいて説明する。図１はこの考案の灯具の組み立て状態を示す図である。この灯具は光源４を配した基台１と、上記基台に下端が外挿される筒状のシェード５から構成される。
【００１３】
図４はシェード５を展開した状態を示す図である。このシェードは緯糸５Ｂを取り除いて経糸５Ａ部分を残した自由変形部７（図６参照）を上方に有する織布からなるシートの左右端に係着具６Ａ、６Ｂを設けた構成よりなり、シートを筒状に折り曲げて係着具により左右端を係着することにより立体形状のシェード５を得る。ここでは係着具６Ａ、６Ｂとしてファスナーを採用しているが（図５参照）、係着具はこれに限られないことは勿論である。
【００１４】
基台１は、この実施例においてはシェード５の下方が外挿可能な外径を有する外周部２とシェードの下端を受け止める鍔部３を有するフランジ状に構成されるものであり、上方中央に光源４が設けられる。光源４としてここでは電球を例示するが、光源はその他の電気照明の他、蝋燭やランプなどの灯火であってもよいことは勿論である。
【００１５】
以上の構成からなる灯具はシェード５の上方の自由変形部７を変形することにより、光の拡散方向や透け具合を調整することができる。図７乃至図１０はそのような変形の実例を示すこの考案の実施品の点灯状態の写真であり、図７においては自由変形部を構成する経糸をランダムな方向に折り曲げた例を、同じく図８においては外方に折り曲げた例を、同じく図９は内方に折り曲げた例を、同じく図１０は内方に折り曲げて更に紐等により閉じた例を示す。
【図面の簡単な説明】
【００１６】
【図１】この考案の灯具の組み立て過程を示す斜視図。
【図２】同上、背面図。
【図３】同上、側面図
【図４】同上、シェードを展開した状態を示す斜視図。
【図５】同上、係着部付近の斜視図。
【図６】同上、シェードの上方の拡大図。
【図７】この考案を実施した灯具の点灯状態の写真。
【図８】この考案を実施した灯具の点灯状態の写真。
【図９】この考案を実施した灯具の点灯状態の写真。
【図１０】この考案を実施した灯具の点灯状態の写真。
【符号の説明】
【００１７】
１              基台
４              光源
５              シェード
６Ａ            係着具
６Ｂ            係着具
７              自由変形部
【図１】
0003119566.tif 000003
【図２】
0003119566.tif 000004
【図３】
0003119566.tif 000005
【図４】
0003119566.tif 000006
【図５】
0003119566.tif 000007
【図６】
0003119566.tif 000008
【図７】
0003119566.tif 000009
【図８】
0003119566.tif 000010
【図９】
0003119566.tif 000011
【図１０】
0003119566.tif 000012
(57)【要約】【課題】マグカップに蓋とソーサーを付ける事により、保温制や香りを維持し、蓋をソーサーに敷くことにより安定するよう支持した蓋付きマグカツプのソーサー付きセットを提供する。【解決手段】マグカップに蓋とソーサーを設け、蓋をする事によりホットドリンク類の保温や香りが少しの時間保つことができる。蓋を設けると、蓋を取ったとき蓋の置き場所に困ったり、蓋についた湯気が洋服等にたれたりする事から、ソーサー上に蓋の大きさと同じ溝を設け、蓋を裏返しにして置けるよう支持し、マグカツプの底の部分にも溝を設け、裏返しにした蓋の中縁とが互い違いに合体するよう支持したため、マグカップをソーサー上の蓋の上に置いても安定し、ソーサーと蓋が一体になるため、蓋をマグカップの下に置いているようには見えない。蓋とソーサーを組み合わせ蓋とマグカップとを組み合わせて支持しているセットである。【選択図】図２
0003119565.tif 000002
【実用新案登録請求の範囲】
【請求項１】
マグカップと、マグカップの蓋と、前記マグカップを受けるソーサーと、から成る蓋付きマグカップのソーサー付きセットであって、
前記マグカップの蓋は、前記マグカップに蓋をしたとき前記マグカップの上部開口部分に入り、前記蓋が前記マグカップから落ちないようにするための中縁を備え、
前記マグカップは、底の部分に、前記蓋の中縁が入り込む溝を有し、
前記ソーサーは、前記マグカップの底部分を受ける大きさであり、且つ、前記蓋を裏返しにして前記ソーサーの上に置いたとき、前記蓋を受けるために前記蓋と同じ大きさの溝を有し、
前記蓋を裏返しにして前記ソーサー上に置いたとき、前記マグカップの底部分の溝と前記蓋の中縁の部分とが互い違いに合体することを特徴とする蓋付きマグカップのソーサー付きセット。
【考案の詳細な説明】
【技術分野】
【０００１】
本考案は、蓋付きマグカップ、特に、マグカップに蓋をすることによりホットドリンクの温かさを保ち、飲むとき蓋を取った際、蓋に湯気が付着したり置き場所に困ったりしないように、蓋をマグカップの底に置けるよう支持し、マグカップとソーサーの間に置くため、マグカッブを蓋の上に置いたときカップが安定するように支持した蓋付きマグカップに関するものである。
【背景技術】
【０００２】
一般的なマグカップは、蓋やソーサーはなく、マグカップだけの使用で愛用されている。ただし外食産業でのマグカップ使用はソーサーがないため使用するレストランはほとんどなく、日本茶・紅茶の器には蓋付き製品があるが、コーヒー等の蓋付きマグカップのソーサー付きはなく、又、蓋がカップの底に敷けるものもなかった。
【考案の開示】
【考案が解決しようとする課題】
【０００３】
本考案は、マグカップに蓋をする事でホットドリンクの温かさを保ち、尚且つ、蓋を裏返しにしてソーサーの上に置くことにより付着した湯気がたれないように支持されており、蓋の置き場所が定められているため蓋が邪魔にならない。マグカップに蓋とソーサーを付ける事により外食産業等でも使用出来るようにする事で、マグカップのイメージのグレードを上げるとともに、保温性や香りが逃げず、また、ゴミ等が入らない事を目的とするものである。
【課題を解決するための手段】
【０００４】
本考案は、マグカップにおいて、蓋を付けることにより保温性を保つ。また、ソーサーを設けソーサーの部分に蓋の大きさと同じ溝を設けることで蓋の置き場所を定める。蓋を付けることにより蓋の置き場所に困るためマグカップとソーサーの間に置けるように支持するが、置いただけではマグカップのバランスが悪く悪循環になり得ることから、マグカップに蓋をしたとき蓋がカップから落ちないための中縁を利用し、マグカツプの底の部分に溝を支持し、蓋の中縁とマグカップの溝が互い違いに重なり合うように支持することにより、蓋をマグカップの下に置いても不安定感がなくなる。蓋の中縁とマグカップの溝とソーサーの溝を利用する事を特徴とするものである。
【考案の効果】
【０００５】
以上の説明から明らかなように、本考案は、マグカツプを蓋付きに支持する事により保温制を高め、香りを逃がさずホットドリンクが美味しく飲める効果があり、また、ソーサーを設ける事により蓋の置き場所が定まり、蓋に付いた湯気がたらさずに置けて、邪魔にならないとともにマグカップを安定させると言う効果がある。
【考案を実施するための最良の形態】
【０００６】
図１、図２、図３は、本考案の蓋付きマグカップのソーサー付き実施の形態の一例を説明するためのもので、図１は、蓋付きマグカップのソーサー付き斜視図、図２は蓋付きマグカップのソーサー付き断面図、図３は、蓋付きマグカップのソーサー付きの平面図である。図中１は、マグカップの蓋、２はマグカツプ蓋の中縁、３はマクカツプ、４はマグカップ底の溝、５はソーサー、６はソーサーの溝、である。
【図面の簡単な説明】
【０００７】
【図１】本考案の蓋付きマグカップのソーサー付きの実施の形態の一例を説明するための簡略に図示した斜視図である。
【図２】図１の蓋付きマクカップのソーサー付き断面図である。
【図３】図１の蓋付きマグカップのソーサー付き平面図である。
【符号の説明】
【０００８】
１    マグカップの蓋
２    蓋の中縁
３    マグカップ
４    マグカップの底の溝
５    ソーサー
６    ソーサーの溝
【図１】
0003119565.tif 000003
【図２】
0003119565.tif 000004
【図３】
0003119565.tif 000005
(57)【要約】      （修正有）【課題】身体障害者、子供、筋力の衰えた老人にも扱い易い回転引出を提供する。【解決手段】回転引出は、収納家具から引き出されて水平移動する基台と、その上に設置した回転盤により水平面で回転するように組み合わせて、水平移動と水平回転運動が同時可動になるように構成したことを特徴とする。【選択図】図２
0003119538.tif 000002
【実用新案登録請求の範囲】
【請求項１】
収納家具から引き出されて水平移動する基台と、その上に設置した回転盤により、水平面で回転するように組み合わせて、水平移動と水平回転運動が同時可動になるように構成したことを特徴とする回転引出。
【考案の詳細な説明】
【技術分野】
【０００１】
本考案は、収納家具から引き出されて水平移動する基台と、その上に設置した回転盤により、水平面で回転するように組み合わせて、水平移動と水平回転運動が同時可動になるように構成したことを特徴とする回転引出に関する。
【背景技術】
【０００２】
収納家具から水平に引き出されるラックのスライドレールに工夫を加え、出し入れの操作性向上を図った発明には特開平１０−２８６２１などがある。
【特許文献１】特開平１０−２８６２１号公報
【考案の開示】
【考案が解決しようとする課題】
【０００３】
収納家具の従来形の引出において、その内容物を検索し、出し入れする操作は、健常者では苦もないことであるが、身体障害者、子供、筋力の衰えた老人には扱いにくいものである。特に奥行きの深い引出や、内容物を多く収納して重く硬くなったものを引き出すときは、相応の力が必要で、車椅子に乗った者が操作する場合、足許の反力が不足して引出の摩擦力に負けてしまうこともある。
【課題を解決するための手段】
【０００４】
本考案の回転引出は、収納家具から引き出されて水平移動する基台と、その上に設置した回転盤により、水平面で回転するように組み合わせて、水平移動と水平回転運動が同時可動になるように構成したことを特徴とする。
【考案の効果】
【０００５】
本考案の回転引出は、手前に引くだけでなく、引出本体を水平面で回転させることによって、内容物を検索したり出し入れするように構成されており、手前に引く操作は、完全収納の状態から、回転軸のある引出中央部まで、つまり、同じ奥行きの従来形の引出に比べて半分の引き幅で十分であり、半分のエネルギー消費で済む。
【０００６】
さらに、回転操作が加わることによって、内容物に対するアクセス経路が短縮され、検索や出し入れに要する時間や労力が軽減される。
【考案を実施するための最良の形態】
【０００７】
以下、本考案をコーナーテーブルに応用した実施例を添付図面に従って説明する。
【実施例】
【０００８】
コーナーテーブルは床面1の上に、壁２に接して設置され、テーブル天板１３が引出本体６の上に位置する。回転引出の自重及び荷重を床面1に伝達するための支持脚３と根太４に支持された梁５が、回転引出の基礎部である。
【０００９】
引出本体６は、引出底版７と引出外縁板８で構成され、ベアリング回転盤９を介して基台１０に固定される。そして基台１０は、伸縮するスライドレール１１で、梁５に接続される。したがって引出本体６は基台１０に乗って水平移動しながら、回転軸１２を中心として回転できることになる。
【００１０】
引出の内容物の検索と出し入れを行う操作は、引出外縁板８の下端部に指をかけて手前に引き、引出の中が一部見えた段階で、引出本体を回転させて行う。その後、引出を納める操作は、単に奥へ押し込むだけでよい。
【図面の簡単な説明】
【００１１】
【図１】回転引出が収納された状態を示す平面図である。
【図２】図１をＡＡ面で切断した立面図である。
【図３】回転引出が収納された状態を図１のＢＢ面で切断し、スライドレール１１の位置を投影した断面図である。
【図４】回転引出が引き出された状態を示す平面図である。
【図５】回転引出が引き出された状態を図４のＣＣ面で切断し、スライドレール１１の位置を投影した断面図である。
【符号の説明】
【００１２】
１  床面
２  壁
３  支持脚
４  根太
５  梁
６  引出本体
７  引出底版
８  引出外縁板
９  ベアリング回転盤
１０  基台
１１  スライドレール
１２  回転軸
１３  テーブル天板
【図１】
0003119538.tif 000003
【図２】
0003119538.tif 000004
【図３】
0003119538.tif 000005
【図４】
0003119538.tif 000006
【図５】
0003119538.tif 000007
(57)【要約】      （修正有）【課題】料理したときに立体的なボリューム感の出る食用エビを提供する。【解決手段】頭と殻を取り除いたムキエビを、その長手方向に沿って縦断して、２体のほぼ同じ厚みのスライス片１、２に分割することにより、各スライス片１、２が加熱されたときに、その薄皮３と身肉４の変形が異なり、全体として螺旋状にねじれた立体的な形状となって、原料となるエビが比較的小型でも立体的なボリューム感が出るようにした。【選択図】図２
0003119534.tif 000002
【実用新案登録請求の範囲】
【請求項１】
頭と殻を取り除いたムキエビを、その長手方向に沿って縦断して２分割した食用エビ。
【請求項２】
頭と殻を取り除いたムキエビを、その長手方向先端から尾端の手前まで縦断した食用エビ。
【請求項３】
請求項１または２に記載の食用エビをボイルして、その縦断面の面外方向に変形させた食用エビ。
【考案の詳細な説明】
【技術分野】
【０００１】
本考案は、バナメイ種等の比較的小型のエビを加工した食用エビに関する。
【背景技術】
【０００２】
食用エビの原料となる輸入養殖エビは、これまでブラックタイガー種が主流を占めていたが、近年、より効率よく養殖でき、コストの安いバナメイ種の輸入量が急増している。しかし、バナメイ種のエビは、ブラックタイガー種に比べてやや小ぶりであるため、料理に用いたときにボリューム感の点で若干見劣りする場合がある。
【０００３】
ところで、天ぷらやすしの材料とされる食用エビは、一般に、ボリューム感をアップさせるために、素材であるムキエビ（頭と殻を取り除いたもの）に、その長手方向に沿って背側から腹側の表層に至る切込みを入れ、その身を切込みの両側へ開いて引き伸ばしたものが用いられている（例えば、特許文献１参照。）。
【特許文献１】特開２００５−２７８４６３号公報
【０００４】
上記のような加工を受けた食用エビは、平面的に広がっているため、天ぷらやすしの材料として用いるには適しているが、他の一般的な料理で求められる立体的なボリューム感は得られない。
【考案の開示】
【考案が解決しようとする課題】
【０００５】
本考案の課題は、料理したときに立体的なボリューム感の出る食用エビを提供することである。
【課題を解決するための手段】
【０００６】
上記の課題を解決するため、本考案の食用エビは、第１の手段として、頭と殻を取り除いたムキエビを、その長手方向に沿って縦断して２分割した構成を採用した。
【０００７】
すなわち、ムキエビを長手方向に沿って縦断して、２体のスライス片に分割することにより、各スライス片が料理中に加熱されたときに、その薄皮と身肉の変形が異なり、全体として螺旋状にねじれた立体的な形状となるようにしたのである。
【０００８】
また、本考案の食用エビは、第２の手段として、頭と殻を取り除いたムキエビを、その長手方向先端から尾端の手前まで縦断した構成を採用した。このようにすれば、料理中に加熱されたときに、縦断位置の両側の半身部は、薄皮と身肉の変形の違いによって縦断面が凸となる方向に反り、全体として先端側が開いた立体的な形状となる。
【０００９】
さらに、本考案の食用エビは、上記第１手段または第２手段の構成の食用エビをボイルして、上記のようにその縦断面の面外方向に変形させた構成を採用することもできる。このように予め立体的な形状としておけば、流通段階からそのボリューム感をアピールすることができる。
【考案の効果】
【００１０】
本考案の食用エビは、上述したように、ムキエビを長手方向に沿って縦断して２分割するか、もしくは長手方向先端から尾端の手前まで縦断することにより、加熱したときにその縦断面の面外方向に変形するようにしたものであるから、原料となるエビが比較的小型でも料理したときに立体的なボリューム感を出すことができる。また、予めボイルして立体的な形状としておけば、流通段階からそのボリューム感をアピールすることができる。さらに、ムキエビをそのまま料理する場合に比べて、縦断面からソースやスープが染み込んで味付けがしやすいという利点もある。
【考案を実施するための最良の形態】
【００１１】
以下、図面に基づき、この考案の実施形態を説明する。図１および図２は、第１および第２の実施形態を示す。この食用エビは、バナメイ種等の比較的小型のエビの頭と殻を取り除いたムキエビを、図１（ａ）、（ｂ）に示すように、その長手方向に沿って縦断し、２体のスライス片１、２に分割したものである。各スライス片１、２は、厚みがほぼ同じになるように分割されており、加熱すると、その薄皮３と身肉４とが互いに異なった変形をすることにより、図２に示すように、全体として螺旋状にねじれた立体的な形状となる。従って、図１の状態（第１の実施形態）で冷凍保存して販売し、料理中に火を加えたときに螺旋状にねじれてボリューム感が出るようにしてもよいし、予めボイルして図２のような立体的な形状としておく（第２の実施形態）ことにより、流通段階からそのボリューム感をアピールするようにしてもよい。
【００１２】
図３および図４は、第３および第４の実施形態を示す。この食用エビは、前記ムキエビを、図３に示すように、その長手方向先端から尾端の手前まで縦断したものである。その縦断位置の両側の半身部５、６は、厚みがほぼ同じで、加熱すると、その薄皮３と身肉４の変形の違いによって縦断面が凸となる方向に反り、図４に示すように、全体として先端側が開いた立体的な形状となる。従って、図３の状態（第３の実施形態）で冷凍保存し、料理中に火を加えたときに先端側が開いてボリューム感が出るようにしてもよいし、予めボイルして図４のような立体的なボリューム感のある状態（第４の実施形態）で販売するようにしてもよい。
【００１３】
上述したように、各実施形態の食用エビは、ムキエビを長手方向に沿って縦断して２分割するか、もしくは長手方向先端から尾端の手前まで縦断して、加熱したときにその縦断面の面外方向に変形するようにしたものである。従って、ムキエビをそのまま加熱した場合の変形が平面的な湾曲のみである（図５参照）のに比べて、料理に用いたときに立体的なボリューム感が出るし、縦断面からソースやスープが染み込んで味付けがしやすい。
【００１４】
なお、各実施形態では、素材として頭と殻を取り除いた尾付きのムキエビを用いたが、尾も取ったものを用いてもよい。また、原料となるエビの種類はバナメイ種に限らず、例えば、ブラックタイガー種のムキエビも、もちろん素材として使用することができる。
【図面の簡単な説明】
【００１５】
【図１】ａは第１実施形態の食用エビの分割位置を示す平面図、ｂはａの食用エビの分割状態での両側面図
【図２】図１の食用エビの加熱後の状態（第２実施形態）の外観斜視図
【図３】第３実施形態の食用エビの平面図
【図４】図３の食用エビの加熱後の状態（第４実施形態）の外観斜視図
【図５】従来の食用エビ（ムキエビ）の加熱後の状態の外観斜視図
【符号の説明】
【００１６】
１、２  スライス片
３  薄皮
４  身肉
５、６  半身部
【図１】
0003119534.tif 000003
【図２】
0003119534.tif 000004
【図３】
0003119534.tif 000005
【図４】
0003119534.tif 000006
【図５】
0003119534.tif 000007
(57)【要約】      （修正有）【課題】靴下類には、衣類裾の汚れ、衣類裾の保護、衣類裾が動作の妨げ、けがの要因とならない為の機能性靴下を提供する。【解決手段】衣類裾を、靴下上部から内側に挿入し、伸縮部の一部に端布ほつれ処理を施し切り抜いた差出口から外へ出し靴下伸縮部の一部で折り返し衣類裾を押さえる。押さえる伸縮部の伸縮度合は差出口のある伸縮部の一部よりも強い。【選択図】図１
0003119559.tif 000002
【実用新案登録請求の範囲】
【請求項１】
靴下等の、履き口の伸縮部の一部にスリットからなる差出口を設け、靴下履き口の内側から外側に向かって、衣類裾を挿入すると共に挿入されて外側に衣類裾の一部を露出させ、伸縮部の一部を折り返して前記露出した衣類裾の一部を固定させることを特徴とする機能性靴下
【請求項２】
前記の衣類裾差出口を設けた伸縮部の一部と、折り返して衣類裾を押さえる伸縮部の一部両方の伸縮度を比較すると、衣類裾を押さえる伸縮部の一部の方が伸縮度の強いことを特徴とする請求項１記載の機能性靴下
【考案の詳細な説明】
【技術分野】
【０００１】
この考案は靴下類に関する
【背景技術】
【０００２】
靴下に切れ目を入れてたるみ防止とする靴下は、すでに公知である。（例えば特許文献１参照）。
【特許文献１】実開平3−115604号公報
【考案の開示】
【考案が解決しようとする課題】
【０００３】
上記の特許文献1に示された靴下は、たるみ止めを目的としており、ズボンの裾を保護する物ではない。これまでトイレで用を足す時、汚れた床上を歩く時、草取りや掃除の時、自転車をこぐ時、強い風が吹く日に歩いたり、バイクに乗りスカートの裾がなびく時、乗り物に座ってスカートの裾が床につく時、あるいは、スカート裾が邪魔になり車の運転がしにくい時、階段の昇降中に足元が衣類裾で見えない時、つま先立ちをして踵を上げたり、ズボンやスカートの裾を持ち上げたり、ゴムや紐で止めて衣類裾が床にふれて汚れることや、スカートの内部を気にしながら歩いたり、バイクに乗ったり、生地が傷むことを防いだりしてきた。しかし靴下で衣類の裾を押さえても、靴下の中に衣類を入れると、靴下は伸びる・たるむという問題が起こることや、靴下内に収まらず飛び出してしまう等の不便さがあった。尚、身体の不自由な人は、本人以外の人が介護支援する時もある。                
【課題を解決するための手段】
【０００４】
本考案の機能性靴下は、履き口の伸縮部の一部にスリットからなる衣類裾の差出口を設け、靴下履き口の内側から外側に向かって衣類裾を挿入すると共に挿入されて外側に衣類裾の一部を露出させ、伸縮部の一部を折り返して前記露出した衣類裾の一部を固定させる。なお差出口は衣類裾差出口を設けた伸縮部の一部と、折り返して衣類裾を押さえる伸縮部の一部両方の伸縮度を比較すると、衣類裾を押さえる伸縮部一部の方が伸縮度の強い方が好ましい。伸縮性のある布とはゴム類を含む。本考案に使用できる靴下類とは、ソックス、ハイソックス、ショートソックス、レグウォーマー、5本指ソックス、タビなどを言う。衣類裾の衣類とは、ズボン、スカート、着物、キュロットスカート等を言う。又履き口伸縮部分とは足首から上に向かって人それぞれ止まる位置、大きさ、形が違うが、ずり落ちないように伸縮性を施してある部分を伸縮部という。伸縮部とは伸縮性のある布で構成している。端布ほつれ止めを施した衣類裾差出口とは熱処理、織りで処理、かがる、薬品処理などをいう。
【考案の効果】
【０００５】
従って、本考案の機能性靴下の履き口伸縮部に、端布ほつれ処理を施し切り抜いた衣類裾差出口スリットと、差し出された衣類裾を押さえる伸縮性のより強い伸縮部の布があるから、トイレで用を足す時など衣類の裾が床や地面に付く、自転車をこぐ場合に衣類裾がチェーンに接触して巻き込む、油で衣類裾が汚れる、スカートの裾が気になるなどが解決する。その防止策としてゴムや紐を常備する必要がなくなる。身体的に不自由な人の介護支援する人は、衣類裾を靴下挿入口から内側に入れ、更に、差出口スリットから外側に出して伸縮部で押さえると、介護支援がしやすい。そして端布ほつれ処理を施した衣類裾差出口を使用しない場合も通常の靴下として使用できる。  
【考案を実施するための最良の形態】
【０００６】
次に本考案実施の形態を実施例となる図面参照して説明する。本考案に関わる機能性靴下
は、図１に示すように、綿素材の通常の靴下１があり、伸縮部の伸縮度の弱い２と伸縮度
の強い３がある。伸縮度の弱い2には、衣類裾差し出し口4のスリットがある。伸縮度の弱い２と伸縮度の強い３の境目の線３ｂがあり、外側への折り返し線になっている。伸縮部の上端３aは衣類裾挿入口である。図2は、ズボンを使った本考案機能性靴下の使用例である。ズボン本体５の裾をズボン差し入れ口３aより内側へ入れ、ズボン裾差出口スリット４より外側へ露出させ、ズボン裾６を引き出したところである。図３は靴下伸縮部の伸縮度の強い３を折り返し線３ｂで外側へ折り返し、ズボン裾６を固定したところを表している図である。端布ほつれ処理を施したズボン裾差出口スリット４の位置は折り返し線である３bより１センチ程度下である。靴下のサイドに設けるスリットの長さは、3センチ４センチ程度である。
【図面の簡単な説明】
【０００７】
【図１】本考案に係る機能性靴下を、側面から見た図である。
【図２】本考案に係る機能性靴下の使用例を示した図である。
【図３】本考案に係る機能性靴下の伸縮部3を折り返した使用例を示した図である。
【符号の説明】
【０００８】
１  通常の靴下
２  靴下伸縮部の一部で伸縮度の弱い方
３  靴下伸縮部の一部で衣類裾を押さえる伸縮度の強い方
３a  衣類裾挿入口
３b  伸縮度の弱い２と伸縮度の強い３の境目で折り返し線
４  伸縮度の弱い伸縮部２の中にある衣類裾差出口（スリット）
５  ズボン本体
６  差し出した衣類裾部分  
【図１】
0003119559.tif 000003
【図２】
0003119559.tif 000004
【図３】
0003119559.tif 000005